(57)【要約】【課題】メモリが差し替えられてもプレイリストを機能可能とすること。【解決手段】ＤＡＰ１は、コンテンツを記憶する複数のメモリ３〜５と、ＣＰＵ２と、を備える。ＣＰＵ２は、コンテンツの再生順を指定するプレイリストを作成する。ＣＰＵ２は、複数のメモリ３〜５のうち、少なくとも２つ以上がそれぞれ記憶するコンテンツを含むプレイリストを作成する場合、プレイリストに登録されるコンテンツが記憶されているメモリ毎に、プレイリストにおけるコンテンツの再生順を含むコメントヘッダを有する部分プレイリストを作成する。【選択図】図４
2019125406.tif 000002
【特許請求の範囲】
【請求項１】
コンテンツを記憶する複数のメモリと、
制御部と、を備え、
前記制御部は、
コンテンツの再生順を指定するプレイリストを作成し、
前記複数のメモリのうち、少なくとも２つ以上がそれぞれ記憶するコンテンツを含むプレイリストを作成する場合、プレイリストに登録されるコンテンツが記憶されている前記メモリ毎に、プレイリストにおけるコンテンツの再生順を含むコメントヘッダを有する部分プレイリストを作成することを特徴とするプレイリスト管理装置。
【請求項２】
前記コメントヘッダは、プレイリストを示す情報を含むことを特徴とする請求項１に記載のプレイリスト管理装置。
【請求項３】
前記制御部は、コンテンツのパスとして、相対パスを書き込んだ部分プレイリストを作成することを特徴とする請求項１又は２に記載のプレイリスト管理装置。
【請求項４】
前記制御部は、部分プレイリストのコメントヘッダに含まれるコンテンツの再生順に基づいて、プレイリストを構築することを特徴とする請求項１〜３のいずれか１項に記載のプレイリスト管理装置。
【請求項５】
前記制御部は、部分プレイリストのコメントヘッダに含まれるプレイリストを示す情報が同じ部分プレイリストを用いて、プレイリストを構築することを特徴とする請求項２に記載のプレイリスト管理装置。
【請求項６】
前記複数のメモリは、着脱可能な外部メモリを含むことを特徴とする請求項１〜５のいずれか１項に記載のプレイリスト管理装置。
【請求項７】
前記複数のメモリは、着脱可能な２以上の外部メモリを含むことを特徴とする請求項１〜６のいずれか１項に記載のプレイリスト管理装置。
【請求項８】
コンテンツを記憶する複数のメモリと、
制御部と、を備えるコンピュータの前記制御部に、
コンテンツの再生順を指定するプレイリストを作成させ、
前記複数のメモリのうち、少なくとも２つ以上がそれぞれ記憶するコンテンツを含むプレイリストを作成させる場合、プレイリストに登録されるコンテンツが記憶されている前記メモリ毎に、コンテンツのプレイリストにおける再生順を含むコメントヘッダを有する部分プレイリストを作成させるためのプレイリスト管理プログラム。
【発明の詳細な説明】
【技術分野】
【０００１】
本発明は、プレイリストを管理するプレイリスト管理装置、及び、プレイリスト管理プログラムに関する。
【背景技術】
【０００２】
近年、メモリの低価格化とともに、複数のメモリを端末に挿入して利用できるようなモバイル端末が登場してきている。このような端末において、コンテンツ（楽曲）の再生順を指定するプレイリストを作成する機能を有しているものがある。複数のメモリを利用可能な端末において（例えば、特許文献１参照。）、複数のメモリを跨ぐプレイリストが作成された場合、各コンテンツへのパスが、プレイリストが作成されたときのメモリ構成における絶対パスで記載されることがある。このため、例えば、複数あるＳＤカードスロットのカードを入れ替えてスロットに挿入しただけで、パスが無効になり、プレイリストが機能しなくなってしまう。ここで、「複数のメモリを跨ぐプレイリスト」とは、例えば、２つのメモリがある場合、それぞれのメモリに記憶されているコンテンツを含むプレイリストである（メモリ１のコンテンツＡ、メモリ２のコンテンツａ・・・）。
【先行技術文献】
【特許文献】
【０００３】
【特許文献１】特開２０１７−０３３４８３号公報
【発明の概要】
【発明が解決しようとする課題】
【０００４】
上述のように、複数のメモリを跨ぐプレイリストが作成されると、メモリの差し替えでプレイリストが機能しないという問題がある。
【０００５】
本発明の目的は、メモリが差し替えられてもプレイリストを機能可能とすることである。
【課題を解決するための手段】
【０００６】
第１の発明のプレイリスト管理装置は、コンテンツを記憶する複数のメモリと、制御部と、を備え、前記制御部は、コンテンツの再生順を指定するプレイリストを作成し、前記複数のメモリのうち、少なくとも２つ以上がそれぞれ記憶するコンテンツを含むプレイリストを作成する場合、プレイリストに登録されるコンテンツが記憶されている前記メモリ毎に、プレイリストにおけるコンテンツの再生順を含むコメントヘッダを有する部分プレイリストを作成することを特徴とする。
【０００７】
本発明では、制御部は、複数のメモリのうち、少なくとも２つ以上がそれぞれ記憶するコンテンツを含むプレイリスト、すなわち、複数のメモリを跨ぐプレイリストを作成する場合、プレイリストに登録されるコンテンツが記憶されているメモリ毎に、プレイリストにおけるコンテンツの再生順を含むコメントヘッダを有する部分プレイリストを作成する。これにより、メモリが差し替えられても、部分プレイリストにより、コンテンツの再生順を維持することができるため、プレイリストを機能させることができる。すなわち、各メモリに配置された部分プレイリストを、メモリ構成に依拠しない複数のメモリに跨った１つのプレイリストとして機能させることができる。
【０００８】
なお、メモリ単位で作成される部分プレイリストの情報は、コメントに記載される。このため、コメントヘッダの読み込み機能がないミュージックアプリケーションで読み込んだ場合でも、メモリ単位の単体プレイリストとしても成立する。
【０００９】
第２の発明のプレイリスト管理装置は、第１の発明のプレイリスト管理装置において、前記コメントヘッダは、プレイリストを示す情報を含むことを特徴とする。
【００１０】
本発明では、コメントヘッダは、プレイリストを示す情報を含む。これにより、部分プレイリストのコメントヘッダに含まれるプレイリストを示す情報が同じ部分プレイリストを用いて、プレイリストを構築することができる。
【００１１】
第３の発明のプレイリスト管理装置は、第１又は第２の発明のプレイリスト管理装置において、前記制御部は、コンテンツのパスとして、相対パスを書き込んだ部分プレイリストを作成することを特徴とする。
【００１２】
第４の発明のプレイリスト管理装置は、第１〜第３のいずれかの発明のプレイリスト管理装置において、前記制御部は、部分プレイリストのコメントヘッダに含まれるコンテンツの再生順に基づいて、プレイリストを構築することを特徴とする。
【００１３】
第５の発明のプレイリスト管理装置は、第２の発明のプレイリスト管理装置において、前記制御部は、部分プレイリストのコメントヘッダに含まれるプレイリストを示す情報が同じ部分プレイリストを用いて、プレイリストを構築することを特徴とする。
【００１４】
第６の発明のプレイリスト管理装置は、第１〜第５のいずれかの発明のプレイリスト管理装置において、前記複数のメモリは、着脱可能な外部メモリを含むことを特徴とする。
【００１５】
第７の発明のプレイリスト管理装置は、第１〜第６のいずれかの発明のプレイリスト管理装置において、前記複数のメモリは、着脱可能な２以上の外部メモリを含むことを特徴とする。
【００１６】
第８の発明のプレイリスト管理プログラムは、コンテンツを記憶する複数のメモリと、制御部と、を備えるコンピュータの前記制御部に、コンテンツの再生順を指定するプレイリストを作成させ、前記複数のメモリのうち、少なくとも２つ以上がそれぞれ記憶するコンテンツを含むプレイリストを作成させる場合、プレイリストに登録されるコンテンツが記憶されている前記メモリ毎に、コンテンツのプレイリストにおける再生順を含むコメントヘッダを有する部分プレイリストを作成させる。
【発明の効果】
【００１７】
本発明によれば、メモリが差し替えられても、プレイリストを機能させることができる。
【図面の簡単な説明】
【００１８】
【図１】本発明の実施形態に係るデジタルオーディオプレーヤーの構成を示すブロック図である。
【図２】（ａ）は、コンテンツの再生順を指定するプレイリストを示す図である。（ｂ）は、メモリに記憶されているコンテンツを示す図である。
【図３】部分プレイリストを示す図である。
【図４】プレイリストの構築を説明するための図である。
【図５】プレイリストの構築を説明するための図である。
【図６】プレイリストの構築を説明するための図である。
【発明を実施するための形態】
【００１９】
以下、本発明の実施形態について説明する。図１は、本実施形態に係るデジタルオーディオプレーヤー（以下、「ＤＡＰ」という。）の構成を示すブロック図である。ＤＡＰ１（プレイリスト管理装置）は、記憶部３に記憶されているミュージックアプリケーションＰ（プレイリスト管理プログラム）が実行されることにより、音楽（コンテンツ）を再生する音楽再生装置として機能する。ＤＡＰ１は、ヘッドホン１０１にアナログオーディオデータを出力する。ヘッドホン１０１は、アナログオーディオデータに基づいて、音声を外部に出力する。
【００２０】
ＤＡＰ１は、ＣＰＵ２、ＲＯＭ１４、ＲＡＭ１５、記憶部３、メモリーカード４、５、表示部６、操作部７、ＤＳＰ８、Ｄ／Ａコンバーター（以下、「ＤＡＣ」という。）９、増幅器１０、無線モジュール１１、ＵＳＢインターフェース（以下、「ＵＳＢ  Ｉ／Ｆ」という。）１２を備える。
【００２１】
ＣＰＵ２（制御部）は、制御プログラム、ＯＳプログラム、ミュージックアプリケーションＰを含むアプリケーションプログラムに従って、ＤＡＰ１を構成する各部を制御する。ＲＯＭ１４は、制御プログラムを記憶する。ＲＡＭ１５は、ＣＰＵ２の主メモリとして機能する。記憶部３（メモリ）は、ＯＳプログラム、アプリケーションプログラム等のプログラム、コンテンツ等の各種データを記憶するフラッシュメモリである。記憶部３は、内蔵メモリである。なお、記憶部１０３は、例示する構成に限られず、ＨＤＤ（Hard Disk Drive）等であってもよい。
【００２２】
メモリーカード４、５（メモリ）は、コンテンツを記憶する。メモリーカード４、５は、例えば、ｍｉｃｒｏＳＤカードである。メモリーカード４、５は、外部メモリであり、カードスロットに着脱可能で、カードの入れ替えが可能である。表示部６は、種々の画像（静止画像、動画像を含む）を表示するものであり、液晶パネルにより構成されている。操作部７は、各種設定を行うための操作キー、及び、表示部６と連動したタッチパネルを備えている。ユーザーは、操作部７を介して、各種の文字入力、設定などを行うことが可能である。また、ユーザーは、操作部７を介して、コンテンツの再生順を指定するプレイリストを作成することが可能である。
【００２３】
ＤＳＰ（Digital Signal Processor）８は、デジタルオーディオデータ（コンテンツ）に、イコライザー処理等の信号処理を行う。ＤＡＣ９は、デジタルオーディオデータをアナログオーディオデータにＤ／Ａ変換する。増幅器１０は、ＤＡＣ９がＤ／Ａ変換したアナログオーディオデータを増幅し、ヘッドホン１０１に出力する。無線モジュール１１は、Ｂｌｕｅｔｏｏｔｈ（登録商標）規格、Ｗｉ−Ｆｉ規格に従った無線通信を行うためのものである。ＤＡＰ１は、無線モジュール１２を介して、外部サーバーと通信可能である。ＵＳＢ  Ｉ／Ｆ１３は、ＵＳＢ規格に従った通信を行うためのものである。ＤＡＰ１は、ＵＳＢ  Ｉ／Ｆ１３を介して、ＰＣ１と通信を行うことが可能である。
【００２４】
図２（ａ）は、コンテンツの再生順を指定するプレイリストを示す図である。図２（ｂ）は、メモリに記憶されているコンテンツを示す図である。図２（ｂ）において、「internal」は、内蔵の記憶部３を示している。「sd1」は、外部のメモリーカード４を示している。「sd2」は、外部のメモリーカード５を示している。記憶部３（internal）には、直下に、コンテンツ「music1.mp3」、「music4.mp3」が記憶されている。また、「files」というフォルダに、コンテンツ「music5.mp3」が記憶されている。メモリーカード４（sd1）には、コンテンツ「music3.mp3」が記憶されている。メモリーカード５（sd2）には、コンテンツ「music2.mp3」、「music6.mp3」が記憶されている。
【００２５】
ＣＰＵ２は、図２に示すように、複数のメモリを跨ぐプレイリスト、すなわち、少なくとも２つ以上のメモリがそれぞれ記憶するコンテンツを含むプレイリストを作成する場合、図３に示すように、プレイリストに登録されるコンテンツが記憶されているメモリ毎に、プレイリストにおけるコンテンツの再生順を含むコメントヘッダを有する部分プレイリストを作成する。
【００２６】
図３（ａ）は、記憶部３に作成される部分プレイリストファイルを示す図である。図３（ｂ）は、メモリーカード４に作成される部分プレイリストファイルを示す図である。図３（ｃ）は、メモリーカード５に作成される部分プレイリストファイルを示す図である。図３（ａ）において、例えば、「#number: 1」は、コンテンツ「music1.mp3」の再生順が「１」であることを示している。また、例えば、図３（ｂ）において、「#number: 6」は、コンテンツ「music6.mp3」の再生順が「６」であることを示している。
【００２７】
また、ＣＰＵ２は、コメントヘッダに、プレイリストを示す情報を含ませる。プレイリストを示す情報は、プレイリスト名、又は、プレイリストを一意に示すＩＤである。本実施形態では、図３に示すように、「#playlist-name: #playlist1」のように、プレイリスト名「playlist1」が含まれている。また、ＣＰＵ２は、コンテンツのパスを相対パスで書き込む。
【００２８】
ＣＰＵ２は、作成した部分プレイリストファイルの読み込み時、部分プレイリストのコメントヘッダに含まれるプレイリストを示す情報が同じ部分プレイリストを用いて、プレイリストを構築する。すなわち、ＣＰＵ２は、コメントヘッダを参照し、同一のプレイリスト名が記載されている部分プレイリストファイルがあった場合、個々の部分プレイリストファイルを合体して利用する。このとき、ＣＰＵ２は、部分プレイリストのコメントヘッダに含まれるコンテンツの再生順に基づいて、プレイリストを構築する。すなわち、ＣＰＵ２は、図４に示すように、コメントヘッダに記載の再生順で、ミュージックアプリケーションＰでのプレイリスト利用時に、個々の部分プレイリストファイルを合体して利用する。
【００２９】
ここで、例えば、図５に示すように、部分プレイリストファイルが、記憶部３とメモリーカード４とにのみ記憶されている場合、再生順に基づいて、ＣＰＵ２は、４曲のプレイリストを構築する。また、部分プレイリストファイルが、記憶部３にのみ記憶されている場合、再生順に基づいて、ＣＰＵ２は、３曲のプレイリストを構築する。
【００３０】
以上説明したように、本実施形態では、ＣＰＵ２は、複数のメモリ３〜５のうち、少なくとも２つ以上がそれぞれ記憶するコンテンツを含むプレイリスト、すなわち、複数のメモリを跨ぐプレイリストを作成する場合、プレイリストに登録されるコンテンツが記憶されているメモリ毎に、プレイリストにおけるコンテンツの再生順を含むコメントヘッダを有する部分プレイリストを作成する。これにより、メモリが差し替えられても、部分プレイリストにより、コンテンツの再生順を維持することができるため、プレイリストを機能させることができる。すなわち、各メモリに配置された部分プレイリストを、メモリ構成に依拠しない複数のメモリに跨った１つのプレイリストとして機能させることができる。
【００３１】
なお、メモリ単位で作成される部分プレイリストの情報は、コメントに記載される。このため、コメントヘッダの読み込み機能がないミュージックアプリケーションで読み込んだ場合でも、メモリ単位の単体プレイリストとしても成立する。
【００３２】
また、本実施形態では、コメントヘッダは、プレイリストを示す情報を含む。これにより、部分プレイリストのコメントヘッダに含まれるプレイリストを示す情報が同じ部分プレイリストを用いて、プレイリストを構築することができる。
【００３３】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３４】
上述の実施形態においては、プレイリスト管理装置として、ＤＡＰ１を例示した。これに限らず、プレイリストを作成可能な電子機器であれば、スマートフォン、タブレット等であってもよい。
【産業上の利用可能性】
【００３５】
本発明は、プレイリストを管理するプレイリスト管理装置、及び、プレイリスト管理プログラムに好適に採用され得る。
【符号の説明】
【００３６】
１  ＤＡＰ（プレイリスト管理装置）
２  ＣＰＵ（制御部）
３  記憶部（メモリ）
４、５  メモリーカード（メモリ）
Ｐ  ミュージックアプリケーション（プレイリスト管理プログラム）
【図１】
2019125406.tif 000003
【図２】
2019125406.tif 000004
【図３】
2019125406.tif 000005
【図４】
2019125406.tif 000006
【図５】
2019125406.tif 000007
【図６】
2019125406.tif 000008